(57)【要約】      （修正有）【課題】履物、衣類、カバン、またはバッグのための締結具として使用することができ、あるいは、１つの宝飾品として使用することができる締結器具を提供する。【解決手段】締結器具であって、第１の端部１０４を含む第１の結合手段と、第２の端部１０３を含む第２の結合手段と、第１の結合手段と第２の結合手段とを接合するための接合手段であり、第１の端部と第２の端部の間に本体部分１０１を含む、接合手段とを備える本体を有し、本体部分が、可撓性を有しており、かつ、第１の端部と第２の端部とが互いに取外し可能に結合される。第１の端部が、リング１０７を形成し、かつ器具の先端として可撓性のある単一の細長い指部を有し、第２の端部が、本体部分を介して第１の端部に結合され、かつ、そこから延びる突出部１１１を有する。【選択図】図１
0003197186.tif 000002
【実用新案登録請求の範囲】
【請求項１】
履物や衣類の中の一物品の第1の穴、アイレット、輪、またはフックと、前記履物や衣類の中の一物品の第2の穴、アイレット、輪、またはフックとを締結するための可撓性のある締結器具であって、
第1の端部を含む第1の結合手段と、
第2の端部を含む第2の結合手段と、
前記第1の結合手段と前記第2の結合手段とを接合するための接合手段であり、前記第1の端部と前記第2の端部の間に本体部分を含む、接合手段と
を備える本体を有し、
前記本体部分が、可撓性を有しており、かつ、前記第1の端部と前記第2の端部とが互いに取外し可能に結合されるように、または、前記第1の端部が履物や衣類の中の一物品の前記第1の穴、アイレット、輪、またはフックに取外し可能に結合されると共に前記第2の端部が前記履物や衣類の中の一物品の前記第2の穴、アイレット、輪、またはフックに取外し可能に結合されるように、撓むように構成されかつ動作可能である、締結器具。
【請求項２】
前記器具の前記本体が単一部品であり、
前記第1の端部が、リングを形成し、かつ前記器具の先端として可撓性のある単一の細長い指部を有し、
前記第2の端部が、前記本体部分を介して前記第1の端部に結合され、かつ、そこから延びる突出部を有する壁であって、前記第2の端部により囲まれたチャネルへのアクセスを可能にする第1の開口部を画定する壁を有し、かつ
前記第1の端部の前記リングの内側が、前記突出部の周囲に嵌合する寸法であり、また、前記第1の開口部および前記チャネルがそれぞれ、前記指部のつけ根が前記第1の開口部に隣接して配置された状態で、前記指部が前記第1の開口部および前記チャネルを通って前記第1の開口部および前記チャネルの中に嵌合するような寸法である、請求項1に記載の締結器具。
【請求項３】
前記チャネルが、前記第2の端部により形成された終端を有する行き止まりのチャネルである、請求項2に記載の締結器具。
【請求項４】
前記第2の端部が、前記壁および前記突出部に関連する前記器具の側面の反対側の前記器具の側面に第2の開口部をさらに含み、前記第2の開口部が、前記チャネルへのアクセスを可能にする、請求項2に記載の締結器具。
【請求項５】
前記指部の本体が、前記チャネルの内側にあり、かつ前記指部の前記つけ根が、前記第1の開口部に隣接して配置されたとき、前記指部が、前記第2の開口部を画定する平面から突出しない、請求項4に記載の締結器具。
【請求項６】
前記壁の一部が、平面視における前記突出部の周りの一部もしくは全部にフランジを形成し、前記突出部が、その周りの一部分または全体に亘って延びる溝を有する側壁を含み、前記溝が、前記リングの前記内側の対応部分を受け入れる寸法である、請求項2に記載の締結器具。
【請求項７】
前記突出部が平面視において、楕円形、円形、長方形、または正方形のうちの1つであり、
前記リングの前記内側が平面視において、円形、楕円形、長方形、または正方形のうちの1つである、請求項2に記載の締結器具。
【請求項８】
前記突出部の平面視形状が、前記リングの前記内側の平面視形状と一致しない、請求項7に記載の締結器具。
【請求項９】
前記器具が、前記第1の端部と前記第2の端部とが互いに結合されたとき、履物もしくは衣類のための締結具として使用されるものであり、あるいは前記第1の端部と前記第2の端部とが互いに結合されたとき、または前記器具の前記第1の端部もしくは前記第2の端部の一方が、前記器具の他のものの第2の端部もしくは第1の端部の他方に結合されたとき、1つの宝飾品として使用するためのものである、請求項2に記載の締結器具。
【請求項１０】
前記締結器具の前記本体が単一部品の弾性本体であり、
前記第2の端部が、第1の面および前記第1の面の反対側の第2の面を有するアンカー部分を含み、前記第1の面が、トンネルへのアクセスを可能にする第1の窓孔がある立上り壁と、前記第1の面から上方に突出している略円筒形状のアンカーと、前記アンカーのつけ根の周囲のフランジとを有し、前記アンカーが、その側壁の周りの連続した溝とドーム型の上部とを有し、前記第2の面が、実質的に滑らかであり、
前記第1の部分が、第1の面および前記第1の面の反対側の第2の面を有するリング部分を含み、前記リング部分は、中空部分の中心を通る軸が前記単一部品の弾性本体の長手方向軸と直角をなすように方向付けられたその中空部分でリングを形成し、前記リング部分が、前記リング部分の側部から前記長手方向軸の方向に突出した細長い突出部を有し、前記細長い突出部が丸い先端を有しており、
前記本体部分が、側面視及び上面視の両方においてテーパが付けられた端部を有し、かつ、前記本体部分の長さの一部に沿って延びる長手方向溝と、前記トンネルへのアクセスを可能にする第2の窓孔と、を有しており、
前記リング部分の前記第1の面、および前記アンカー部分の前記第1の面が、前記単一部品の弾性本体の第1の側面上にあり、また前記リング部分の前記第2の面、および前記アンカー部分の前記第2の面が、前記単一部品の弾性本体の第2の側面上にあり、
前記細長い突出部が延びている前記リング部分の側部が、前記リング部分と前記細長い本体とが交わる接合箇所から180度オフセットされており、
前記リング部分と前記アンカー部分とが適正に結合されたとき、前記リング部分および前記アンカー部分が、
前記リング部分の前記リングが前記アンカーの前記溝の周囲に弾性的に嵌合して、前記中空部分が前記アンカーにより占められ、かつ前記リング部分の前記第2の面の側で、前記リングが前記フランジ上に配置されるように、かつ
丸い先端を有する前記細長い突出部が、前記窓孔を通って延びて前記トンネルの内側にあり、そのときに、前記単一部品の弾性本体の底面視において前記第2の窓孔から視認することができるが、前記第2の窓孔を画定する平面から突出しないように、
構成される寸法である、請求項1に記載の締結器具。
【請求項１１】
前記締結器具が、複数の前記締結器具のセットの中の1つの器具であり、前記セットが、少なくとも2つの前記締結器具を含む、請求項10に記載の締結器具。
【請求項１２】
複数の前記締結器具の前記セットが、それぞれが異なる全体長さを有する少なくとも2つの締結器具を含む、請求項11に記載の締結器具。
【請求項１３】
複数の前記締結器具の前記セットが、それぞれが同じ全体長さを有する少なくとも2つの締結器具を含む、請求項11に記載の締結器具。
【請求項１４】
前記フランジが前記アンカー部分の前記つけ根を完全に取り囲む、請求項10に記載の締結器具。
【請求項１５】
前記器具の前記本体部分が可撓性を有しており、
前記第1の端部がリングを形成し、
前記第2の端部が、前記本体部分を介して前記第1の端部に結合され、かつ前記第2の端部から延びる突出部を有する壁を有し、前記突出部が、前記第1の端部の前記リングと結合するためのアンカー部分を形成しており、
前記第1の端部の前記リングの内側が、前記アンカー部分の周囲に嵌合する寸法である、請求項1に記載の締結器具。
【請求項１６】
前記アンカー部分が、その側壁の周りの全体に亘って延びる凹形部分を有し、前記凹形部分が、前記第1の端部の前記リングの前記内側の寸法および形状に基づいた寸法および形状をしている、請求項15に記載の締結器具。
【請求項１７】
前記第1の端部が先端部分を有し、
前記本体部分が、分岐した本体の2つの部分のそれぞれの間に空所領域を画定する前記分岐した本体を有し、
前記空所領域が、前記第1の端部から前記第2の端部へと延び、かつ
前記第2の端部が、突出部により部分的に画定されるその上面に形成されたY字形のチャネルを有する、請求項1に記載の締結器具。
【請求項１８】
前記第1の端部と前記第2の端部とが互いに適正に結合されたとき、前記第1の端部が前記チャネルの内側に配置されて、前記本体部分および前記第1の端部の交わる接合箇所が前記チャネルのフォーク部に配置され、前記第1の端部の前記先端部分が、前記本体部分の方向に内側に向いている、請求項17に記載の締結器具。
【請求項１９】
前記第1の端部が開口部を画定し、
前記第2の端部が、前記本体部分を介して前記第1の端部に結合され、かつそこから延びる突出部を有する壁を有し、かつ
前記第1の端部により画定される前記開口部の内側が、前記突出部の周囲に嵌合する寸法である、請求項1に記載の締結器具。
【請求項２０】
前記第1および第2の端部が、前記本体部分とは異なる材料から形成される、請求項19に記載の締結器具。
【請求項２１】
前記第2の端部が、前記第1の端部に、あるいは履物や衣類の中の一物品の前記第1の穴、アイレット、輪、またはフックに結合されるように構成された、その底面側からの突出部を有する、請求項1に記載の締結器具。
【請求項２２】
前記第2の端部が、前記第2の端部に摺動可能に結合された調整可能な部分を有し、
前記第2の端部が、その表面に、前記調整可能な部分の対応する刻み目と協動する複数の窪みを有し、それにより、前記調整可能な部分が定位置に固定され、かつ
前記第2の端部の前記突出部が、前記調整可能な部分に結合される、請求項21に記載の締結器具。
【請求項２３】
締結するための弾性的な器具を提供するステップであって、前記弾性的な器具が、リングを形成し、かつ前記器具の先端として、可撓性のある細長い突出部を有する第1の部分、および前記第1の部分に結合され、かつそこから延びる突起部を備え、第2の部分により形成されるトンネルへのアクセスを可能にする第1の開口部を画定する壁を有する第2の部分を含む、ステップと、
前記第1の部分と前記第2の部分とを互いに結合することにより前記器具を配置するステップと
を含み、
前記配置するステップが、前記リングの内側が前記突起部を取り囲むように、かつ前記第1の部分の前記可撓性のある細長い突出部が、前記第1の開口部を介して前記トンネルの内側に嵌合するように、前記第2の部分の前記突起部の周囲に、前記第1の部分の前記リングを配置することを含む、締結方法。
【請求項２４】
前記配置するステップの前に、前記弾性的な器具を、製品の一対の穴、アイレット、輪、またはフックの中に挿入するステップをさらに含む、請求項23に記載の方法。
【請求項２５】
前記製品が、衣類、履物、カバン、バックパック、バッグ、財布、ボクシンググラブ、サンドバッグ、およびフットボールもしくはラクロスの肩パッドのうちの1つである、請求項23に記載の方法。
【請求項２６】
前記弾性的な器具が、リン光性のある部分、および/またはフラッシュする部分を含む、請求項23に記載の方法。
【請求項２７】
前記提供するステップが、射出成形により前記弾性的な器具を形成するステップを含む、請求項23に記載の方法。
【請求項２８】
前記第2の部分の前記突起部が、前記第1の部分と前記第2の部分とが共に結合されたとき、視認可能であり、隠されないその上面に、取外し可能で交換可能な部分を含み、前記取外し可能で交換可能な部分が、前記器具の色構成を変更するために、かつ/または前記突起部の前記上面のロゴまたは他の表示を変更するために取外し可能であり、交換可能である、請求項23に記載の方法。
【考案の詳細な説明】
【先行技術文献】
【特許文献】
【０００１】
【特許文献１】米国特許第7,506,420号
【考案の概要】
【課題を解決するための手段】
【０００２】
本考案の実施形態は、履物や衣類の中の一物品の第1の穴、アイレット、輪、またはフックと、前記履物や衣類の中の一物品の第2の穴、アイレット、輪、またはフックとを締結するための可撓性のある締結器具を含むことができ、締結器具は、第1の端部を含む第1の結合手段と、第2の端部を含む第2の結合手段と、結合のための前記第1の結合手段と前記第2の結合手段とを接合するための接合手段であり、前記第1の端部と前記第2の端部の間に本体部分を含む、接合手段とを備える本体を有する。本体部分は可撓性を有しており、かつ、前記第1の端部と前記第2の端部とが互いに取外し可能に結合されるように、あるいは、前記第1の端部が履物や衣類の中の一物品の前記第1の穴、アイレット、輪、またはフックに取外し可能に結合されると共に前記第2の端部が前記履物や衣類の中の一物品の前記第2の穴、アイレット、輪、またはフックに取外し可能に結合されるように、撓むように構成されかつ動作可能にすることができる。
【０００３】
本考案の実施形態はまた、履物や衣類の中の一物品の第1の穴、アイレット、輪、またはフック、および前記履物や衣類の中の一物品の第2の穴、アイレット、輪、またはフックを締結するための可撓性のある締結器具を含む。締結器具は、第1の端部と、第2の端部と、前記第1の端部と前記第2の端部との間の本体部分と、を備える本体を有することができる。本体部分は可撓性を有しており、かつ前記第1と第2の端部とが互いに取外し可能に結合されるように、あるいは前記第1の端部が履物や衣類の中の一物品の前記第1の穴、アイレット、輪、またはフックに取外し可能に結合されると共に前記第2の端部が前記履物や衣類の中の一物品の前記第2の穴、アイレット、輪、またはフックに取外し可能に結合されるように、撓むように構成され、かつ動作可能である。
【０００４】
開示される実施形態は、単一部品の可撓性のある機器を含み、前記機器は、リングを形成し、かつ器具の先端として可撓性のある単一の細長い指部を有する第1の端部と、前記第1の端部に結合される第2の端部であって、そこから延びる突出部を有し、かつ前記第2の端部により囲まれたチャネルへのアクセスを可能にする第1の開口部を画定する壁を有する第2の端部とを備える。第1の端部のリングの内側は、突出部の周囲に嵌合する寸法であり、また、第1の開口部およびチャネルはそれぞれ、前記指部のつけ根が前記第1の開口部に隣接して配置された状態で、指部が前記第1の開口部および前記チャネルを通って前記第1の開口部および前記チャネルの中に嵌合するような寸法である。
【０００５】
任意選択で、チャネルは、前記第2の端部により形成された終端を有する行き止まりのチャネルである。代替的には、第2の端部は、壁および突出部に関連する前記器具の側面の反対にある前記器具の側面に第2の開口部をさらに含むことができ、第2の開口部は、チャネルへのアクセスを可能にすることができる。任意選択で、指部は、指部の本体がチャネルの内側にあり、かつ指部のつけ根が第1の開口部に隣接して配置されたとき、第2の開口部を画定する平面から突出しない。代替的に、指部は、指部の本体がチャネルの内側にあり、かつ指部のつけ根が第1の開口部に隣接して配置されたとき、第2の開口部を画定する平面から突出する。
【０００６】
第2の端部は、細長い本体部分を介して第1の端部に結合することができる。任意選択で、細長い本体部分は、前記第1および第2の端部との各境界面で、テーパの付いた端部またはねじ山を有することができる。任意選択で、細長い本体は、例えば、長手方向に、その上に配置された1つまたは複数の溝を有することができる。
【０００７】
任意選択で、壁の一部は、平面視における突出部の周りの一部または全部にフランジを形成することができ、突出部は、その周りの一部分または全体に亘って延びる溝を有する側壁を含むことができ、溝は、リングの内側の対応部分を受け入れるような寸法である。突出部は平面視において楕円形、円形、長方形、または正方形のうちの1つとすることができ、またリングの内側は平面視において円形、楕円形、長方形、または正方形のうちの1つとすることができる。任意選択で、突出部の平面視形状は、リングの内側の平面視形状に一致する。代替的には、突出部の平面視形状は、リングの内側の平面視形状に一致しない。
【０００８】
器具は、前記第1の端部と前記第2の端部とが互いに結合されたとき、例えば、履物、衣類、カバン、またはバッグのための締結具として使用することができ、あるいは、前記第1の端部と前記第2の端部とが互いに結合されたとき、または前記器具の前記第1の端部もしくは前記第2の端部の一方が、前記器具の他のものの第2の端部もしくは第1の端部の他方に結合されたとき、1つの宝飾品として使用することができる。
【０００９】
本考案の実施形態はまた、履物や衣類の中の一物品の第1の穴、アイレット、輪、またはフック、および履物や衣類の中の一物品の第2の穴、アイレット、輪、またはフックを締結するための締結器具を含み、締結器具は、第1の面および第1の面の反対側の第2の面を有するアンカー部分と、トンネルへのアクセスを可能にする第1の窓孔がある立上り壁、前記第1の面から上方に突出している略円筒形状のアンカー、および前記アンカーのつけ根の周囲のフランジを有する第1の面であって、前記アンカーが、その側壁の周りの連続した溝とドーム型の上部とを有する、第1の面と、実質的に滑らかな第2の面と、第1の面および第1の面とは反対側の第2の面を有するリング部分であって、前記リング部分は、中空部分の中心を通る軸が単一部品の弾性本体の長手方向軸と直角をなすように方向付けられたその中空部分でリングを形成し、前記リング部分がさらに、前記リング部分の側部から前記長手方向軸の方向に突出した細長い突出部を有し、前記細長い突出部が丸い先端を有する、リング部分と、前記アンカー部分と前記リング部分との間の細長い本体部分であって、側面視および上面視の両方においてテーパが付いている端部を有し、本体部分の長さの一部に沿って延びる長手方向溝、およびトンネルへのアクセスを可能にする第2の窓孔を有する、本体部分とを備える単一部品の弾性本体を有する。リング部分の第1の面、およびアンカー部分の第1の面は、単一部品の弾性本体の第1の側面上にあり、またリング部分の第2の面およびアンカー部分の第2の面は、単一部品の弾性本体の第2の側面上にある。細長い突出部が延びている前記リング部分の側部は、前記リング部分と前記細長い本体とが交わる接合箇所から180度オフセットされている。リング部分およびアンカー部分は、前記リング部分と前記アンカー部分とが適正に結合されたとき、以下のように構成される寸法である。すなわち、前記リング部分のリングは、アンカーの溝の周囲に弾性的に嵌合し、したがって、中空部分は、アンカーにより占められ、前記リング部分の第2の面の側で、リングはフランジ上に配置され、また丸い先端を有する細長い突出部は、第1の窓孔を通って延びてトンネルの内側にあるが、単一部品の弾性本体の底面視において第2の窓孔から視認することができる。任意選択で、細長い突出部は、第2の窓孔を画定する平面から突出することができる。代替的に、細長い突出部は、第2の窓孔を画定する平面から突出しないこともありうる。
【００１０】
締結器具は、セット、キット、またはシステムなどの装置の1つとすることができる。任意選択で、セット/キット/システムは、2つ以上、3つ以上、4つ以上などの数の締結器具を含むことができる。任意選択で、器具は、同じ構成および/または寸法のものとすることができるか、あるいは器具のいくつかまたはすべては、異なる構成および寸法のものとすることができる。例えば、任意選択で、複数の前記締結器具の１つのセットは、それぞれが異なる全体長さを有する複数の締結器具を含むことができる。代替的には、複数の前記締結器具の１つのセットは、それぞれが同じ全体長さを有する複数の締結器具を含むことができる。さらに他の代替形態として、複数の前記締結器具の１つのセットは、異なる全体長さを有する少なくとも2つの前記締結器具を含むことができる。
【００１１】
任意選択で、略円筒形状のアンカーは、平面視において楕円形とすることができ、フランジは、前記アンカーのつけ根を完全に取り囲むことができる。リング部分およびアンカー部分は、解放可能に結合することができる。
【００１２】
開示される実施形態はまた、締結するための弾性的な器具を提供するステップであって、弾性的な器具が、リングを形成し、かつ器具の先端として、可撓性のある細長い突出部を有する第1の部分、および前記第1の部分に結合され、かつそこから延びる突起部を備え、第2の部分により形成されるトンネルへのアクセスを可能にする第1の開口部を画定する壁を有する第2の部分を含む、ステップと、前記第1の部分と前記第2の部分とを互いに結合することにより前記器具を配置するステップとを含む締結方法を含む。前記配置するステップが、リングの内側が突起部を取り囲むように、かつ第1の部分の可撓性のある細長い突出部が、第1の開口部を介してトンネルの内側に嵌合するように、第2の部分の突起部の周囲に、第1の部分のリングを配置することを含む。
【００１３】
本方法はまた、前記配置するステップの前に、弾性的な器具を、製品の一対の穴、アイレット、輪、またはフックの中に挿入するステップを含むことができる。製品は、衣類、履物、カバン、バックパック、バッグ、財布、ボクシンググラブ、サンドバッグ、およびフットボールもしくはラクロスの肩パッドのうちの1つとすることができる。
【００１４】
実施形態では、任意選択で、第2の部分の突起部は、その上面に、取外し可能で交換可能な部分を含むことができ、取外し可能で交換可能な部分は、器具の色構成を変更するために、かつ/または突起部の上面のロゴまたは他の表示を変更するために取外し可能で交換可能である。突起部の上面は、第1の部分と第2の部分とが互いに結合されたとき、視認することができ、隠されることはない。任意選択で、実施形態では、本明細書で示され、かつ述べられた器具(複数可)の一部は、リン光性のある部分、および/またはフラッシュする部分を含むことができる。
【００１５】
任意選択で、実施形態では、履物や衣類の中の一物品の第1の穴、アイレット、輪、またはフック、および履物や衣類の中の一物品の第2の穴、アイレット、輪、またはフックを締結するための弾性的な器具、一体型の可撓性のある器具、および締結器具は、リン光性のある部分、および/またはフラッシュする部分を含むことができる。
【００１６】
履物や衣類の中の一物品の第1の穴、アイレット、輪、またはフック、および履物や衣類の中の一物品の第2の穴、アイレット、輪、またはフックを締結するための弾性的な器具、単一部品の可撓性のある器具、および締結器具は、例えば、射出成形など、成形により製作することができる。例として、アンカー部分もしくは同様のものは、第1のステップで、射出成形することができ、また器具の残りの部分は、他のステップで、アンカー部分の周囲に射出成形することができる。代替的に、器具全体を、1つの射出成形ステップで作成することもできる。
【００１７】
開示される本考案の実施形態はまた、本考案による締結器具およびシステム、ならびにその方法を実施する衣類、履物、バッグ、カバン、バックパック、財布、ボクシンググラブ、サンドバッグ、および肩パッドを含む。
【００１８】
諸実施形態は、以下で、添付図面を参照して詳細に述べるものとする。図面では、同様の参照数字は同様の要素を表す。添付の図面は、必ずしも縮尺を合わせて描かれていない。添付のグラフおよび図で示されたどの値もしくは寸法も、例示のためだけのものであり、実際の、または好ましい値もしくは寸法を示していない可能性がある。適用可能な場合には、いくつかの特徴は、その基礎となる特徴の説明を支援するように示されていない可能性もある。
【図面の簡単な説明】
【００１９】
【図１】本考案の実施形態による器具の正面斜視図である。
【図２】図1で示した器具の上面図である。
【図３】図1で示した器具の底面図である。
【図４】図1で示した器具の左側面図である。
【図５】図1で示した器具の右側面図である。
【図６】図1で示した器具の第1の端面図である。
【図７】図1で示した器具の第2の端面図である。
【図８】その第1および第2の端部を共に結合させた、図1〜7で示す器具などの本考案の実施形態による締結器具の正面斜視図である。
【図９】図8の締結器具の上面図である。
【図１０】図8の締結器具の底面図である。
【図１１】図8の締結器具の右側面図である。
【図１２】図8の締結器具の左側面図である。
【図１３】図8の締結器具の端面図である。
【図１４】図8の締結器具の、図13の端面図とは反対側の端面図である。
【図１５Ａ】履物に配置された本考案の実施形態による複数の締結器具の正面斜視図である。
【図１５Ｂ】1点の衣類に配置された本考案の実施形態による複数の締結器具の正面斜視図である。
【図１６Ａ】本考案の他の実施形態による締結器具の上面図である。
【図１６Ｂ】図16Aの締結器具の一部を示す図である。
【図１６Ｃ】図16Aの締結器具の部分間での相互作用を示す図である。
【図１６Ｄ】1つの履物に配置された図16Aから16Cによる複数の締結器具を示す図である。
【図１７Ａ】本考案のさらに他の実施形態による締結器具の上面図である。
【図１７Ｂ】図17Aで示された締結器具の一部を示す図である。
【図１８】本考案のさらなる実施形態による締結器具の上面図である。
【図１９】本考案のさらなる実施形態による締結器具の上面図である。
【図２０】本考案のさらなる実施形態による締結器具の上面図である。
【図２１Ａ】本考案の実施形態による調整可能な締結器具の部分を示す図である。
【図２１Ｂ】本考案の実施形態による調整可能な締結器具の部分を示す図である。
【図２１Ｃ】本考案の実施形態による調整可能な締結器具の部分を示す図である。
【図２２Ａ】本考案のさらなる実施形態による締結器具の部分を示す図である。
【図２２Ｂ】本考案のさらなる実施形態による締結器具の部分を示す図である。
【図２２Ｃ】本考案のさらなる実施形態による締結器具の部分を示す図である。
【図２２Ｄ】本考案のさらなる実施形態による締結器具の部分を示す図である。
【図２２Ｅ】本考案のさらなる実施形態による締結器具の部分を示す図である。
【図２３】図22Eによる複数の締結器具を有する1つの履物の部分的な図である。
【図２４】本考案による代替的な締結器具の実施形態を示す図である。
【図２５Ａ】本考案によるさらに他の代替的な締結器具の実施形態を示す図である。
【図２５Ｂ】図25Aの締結器具を実施する1つの履物の部分的な図である。
【図２６】本考案による締結器具のさらに他の実施形態を示す図である。
【図２７】本考案の実施形態による1つの履物に配置された締結器具および装飾的部品からなるシステムを示す図である。
【図２８】本考案の実施形態による方法の流れ図である。
【考案を実施するための形態】
【００２０】
添付図面に関連して以下で述べる説明は、開示される主題の様々な実施形態の説明として意図されており、開示される主題を実施できる唯一の実施形態を表すことを意図していない。説明は、開示される主題の十分な理解を提供するために特有の細部を含む。しかし、開示される主題が、これらの特有の細部を使用せずに実施できることは、当業者であれば明らかであろう。いくつかの例では、よく知られた構造および構成要素は、開示される主題の概念をあいまいにすることを避けるために、ブロック図形式で示すことができる。
【００２１】
一般的に言って、本考案の実施形態は、締結もしくは閉鎖器具およびシステム、ならびにその方法に関する。特に、本考案の実施形態は、1つまたは複数の締結器具を含むことができる。実施形態では、各締結器具は、対向する端部を有する本体(例えば、一体の、または単一の本体)を有することができ、その対向する端部は、共に結合されるように、または前記締結器具の他のものにおけるその各補完物に結合されるように構成され、かつ動作可能である。代替の実施形態では、端部は、共に結合されるように構成され、かつ動作可能ではないこともありうる。
【００２２】
開示される本考案の実施形態によるシステムは、同じもしくは異なる構成の複数の締結器具、および/または1つまたは複数の装飾的部品から構成することができる。例えば、図27を参照のこと。ところで、実施形態では、器具の1つまたは複数の部分を、例えば、その交換のために、本体から分離可能に、または取外し可能にすることができる。
【００２３】
本考案の実施形態による締結器具は、例えば、衣類、履物、バッグ、カバン、バックパック、財布、ボクシンググラブ、サンドバッグ、肩パッド、または同様のものを含む、ひもを結ぶように構成された製品に対する締結具もしくは閉鎖具として使用することができる。本考案の実施形態による締結器具およびシステムは、特定の製品に対するひもの使用を完全に、または部分的に置き換えるために使用することができる。本考案の実施形態による器具はまた、その両端を共に締結させて、ブレスレット、ベルト、ネックレスまたは同様のものなどの1つの宝飾品を形成させることができるか、あるいは単に端と端を接続する構成で、最も遠く離れた器具の自由端を共に結合させた比較的長い締結器具を作ることができる。
【００２４】
さらに本考案の実施形態は、ユーザが装着するために、1点の履物を締結し、閉鎖し、または固定するための手段を提供することができ、それにより、ひもを完全に、または部分的に置き換えることができる。このようなひもの部分的な、または完全な置換えは、ユーザが装着するとき、履物を締結する、またはその他の形で閉じるためのより安全な手段を提供することができる。本考案の実施形態はまた、ユーザに、自分の履物、または本明細書で述べる他の商品/製品の外観およびレイアウトをカスタマイズし、かつ装飾することを可能にする。
【００２５】
図1〜7を次に参照すると、本考案による締結または閉鎖器具100の実施形態が示されており、器具100は、第1の部分106および第2の部分110から構成された一体型の、または単一の本体を有することができる。任意選択で、器具100は、細長い本体部分101を含むことができる。細長い本体部分101は、前記第1の部分106および第2の部分110との各境界面でテーパが付けられた端部を有することができる。任意選択で、細長い本体101は、その上に配置された、例えば、溝102で示されるように長手方向に、1つまたは複数の溝もしくは窪み102を有することができる。溝102は、例えば、アイレットを通して中に器具に挿入するために、本体101をより可撓性のあるものにすることができる。さらに溝102は、つぶれるのを回避し、かつフレームをアイレットの中に通すことを容易にするために、圧縮および弾性的な拡大を支援することができる。
【００２６】
一体型の本体は、エラストマー(例えば、合成ゴム)または同様のものなど、任意の適切な材料から製作された、可撓性があり、かつ弾性的なものとすることができる。すなわち、本体は、器具を本明細書に記載の製品もしくは商品に、例えば、位置決めし、挿入し、またはその他の形で固定もしくは配置するために、特定の形態もしくは形状をとるように曲げる、またはその他の形で操作することができる。例えば、図8〜15B、16B、16C、16D、17B、23、および27を参照のこと。本体の部分は、製品もしくは商品上に、またはそれに対して器具を配置する、位置決めする、構成する、かつ/または固定する間に、かつ/または製品もしくは商品を使用もしくは装着する間に伸びる、または伸ばすことができる。したがって、本体は、様々な力を受けたとき、拡大もしくは収縮することができる。器具を製品もしくは商品から取り外すと、器具は、その元の形態に(例えば、伸ばされていない、圧縮されていない、かつ任意選択で曲げられていない形態など)、または実質的に元の形態に戻ることができる。
【００２７】
第1の部分106は、中空部分107を備えるリングもしくは環状部分を形成または画定することができ、またそれは部分101の端部104に存在することができる(あるいは実施形態では、部分104は第1の部分106の一部と見なすこともできる)。リングの内側は平面図で、円形、楕円形、長方形、または正方形のうちの1つとすることができる。さらに実施形態では、リングは、例えば、その厚さ、その構成、またはプラスチックもしくは金属製のリングまたは半分のリングなど、中に埋め込まれた硬化させた材料に基づいて、本体の他の部分に対して強化することができる。リングのこのような強化またはその他の形の構成は、例えば、裂けることに対する耐性を増加することができる。
【００２８】
第1の部分106はまた、器具100の先端として、単一の、可撓性のある細長い指部、もしくは突起部108を含むことができる。代替的に、細長い指部もしくは突起部108は、第1の部分106と比較して比較的剛性のあるものとすることができる。任意選択で、突起部108の先端を丸める、または尖らせることができる。突起部108は、リングが器具100の部分104と交わる接合部から180度の角度の所でリングから延びることができる。その元の、または形成されたままの形で(例えば、ねじられ、曲げられていない形)、リングは、中空部分107の中心を通過する軸が、器具100の長手方向軸に対して直角をなすように、その中空部分107を方向付けることができる。
【００２９】
以下で論ずるように、突起部108は、例えば、可能であれば針先として、アイレットを通して器具100を挿入するのを助けることができる。突起部108はまた、第1の部分106および第2の部分110を共に保持し続けるのを支援することができる。
【００３０】
第2の部分110は、部分101の端部103に存在することができる(あるいは実施形態では、部分103は、第2の部分110の一部であると見なすこともできる)。第2の部分110は、第1の面と、第1の面の反対側の第2の面とを有することができる。第1の面は、立上り部分114、およびアンカー部分111を有することのできる壁を有することができる。第2の面は、実質的に滑らかでありうる。ところで、用語「固定する」は、以下で詳細に述べるように、第1の部分106を第2の部分110に結合するために、部分111が使用できることを示すのに用いられる。
【００３１】
アンカー部分111は、壁から延びる突出部もしくは突起部として定義することができる。実施形態では、アンカー部分111は、例えば、その厚さ、その構成、プラスチックもしくは金属製プラグなど、埋め込まれ硬化させた材料、ならびに/またはその構造的構成に基づいて、本体の他の部分に対して強化することができる。このような強化は、アンカー部分111の周囲で第1の部分106のリングを保持することを支援することができる。代替的には、アンカー部分111は、端部103、フランジ113、および壁部分114などの周囲の部分とは異なる材料、例えば、より硬い、またはより剛性のある材料から作ることもできる。例えば、アンカー部分111は、プラスチックから作ることができるが、周囲の部分は、より可撓性のあるエラストマーから作ることができる。強化したアンカー部分111の場合と同様に、より硬く、より剛性のあるアンカー部分111は、第1の部分106のリングをアンカー部分111の周囲に保持することを助けることができる。すなわち、より安定性があり、信頼性の高い固定構造を、それに結合される第1の部分106に提供することができる。
【００３２】
アンカー部分111は、概して円筒形など、任意の適切な形状を有することができる。アンカー部分111は平面図で、楕円形、円形、長方形、または正方形のうちの1つとすることができる。任意選択で、アンカー部分111の平面図形状は、リングの内側の平面図形状と同一のものとすることができる。代替的に、アンカー部分111の平面図形状は、リングの内側の平面図形状と同一ではないこともありうる。
【００３３】
任意選択で、アンカー部分111は、例えば、連続的な溝112を備えた側壁を有することができる。代替的に、溝112は、不連続でありうる。溝112は、第1の部分106をアンカー部分111に結合することができるように、第1の部分106のリングの寸法および形状に基づいた寸法および形状とすることができる。代替的には、アンカー部分111は、溝112に代えて凸部を有することができ、対応する溝は、第1の部分106のリングの内壁に沿って形成され、したがって、アンカー部分111および第1の部分106のこれらの部分は、共に良好に嵌合することができる。実施形態では、アンカー部分111は、その側壁の周囲に凸部と凹(すなわち、溝が付けられた)部の混合したものを有することができ、第1の部分106のリングの内側部分には、相補的な凸部および凹部を有することができる。したがって、本考案の実施形態は、アンカー部分111および第1の部分106に対するいくつかの相補的な係合機構が企図されており、上記で示した構成は、単に非限定的な例に過ぎないことは明らかである。
【００３４】
アンカー部分111は、平坦な、またはドーム型のその上部を有することができる。したがって、アンカー部分111が、ドーム型の上部および連続する溝112を含む実施形態では、アンカー部分111は、(例えば、図4〜6で示すように)キノコ形状にすることができる。溝112は、リングの内側の対応する部分を受け入れるような寸法にすることができる。
【００３５】
実施形態では、任意選択で、壁の一部は、アンカー部分111のつけ根の周囲でフランジ113を形成することができる。フランジ113は、平面図で、アンカー部分111を完全に囲むことができるか、あるいはアンカー部分111を部分的に囲むことができる。
【００３６】
壁はまた、第1の開口部もしくは窓孔115を画定するその一部114を有することができ、それは、第2の部分110に形成されるトンネルもしくはチャネルへのアクセスを提供する。壁部分114は、垂直に、または代替的に概して上方に、かつアンカー部分111から離れて立ち上がることができ、また立上りもしくは立上り壁として特徴付けることができる。任意選択で、チャネルもしくはトンネルは、第2の部分110によって形成されるその終端を有する行き止まりのトンネル/チャネルとすることができる。代替的に、また図3で示すように、第2の部分110は、壁部分114およびアンカー部分111に関連する器具100の第1の側面とは反対の、器具100の第2の側面に第2の開口部105を含むことができる。第2の開口部105は、トンネルもしくはチャネルへのアクセスを提供することができる。トンネルもしくはチャネルは、例えば、突起部108に作用しようとする望ましくない、または意図しない外力に対するシールドまたは障壁として働くように、突起部108のための容器として使用することができる。
【００３７】
図8〜14は、第1および第2の部分106、110が適正に共に結合された器具100の様々な図を示している。図8〜14で示すように、第1の部分106および第2の部分110は、第2の部分110の第1の面が、第1の部分106の第2の面に面するように結合される。任意選択で、部分106、110は、部分106、110が適正に共に結合されたとき、第2の部分110の第1の面が、第1の部分106の第1の面に面するように互いに対して回転させることができる。
【００３８】
図8〜14で示すように、第1の部分106のリングの内側107は、アンカー部分111の周囲に嵌合するような寸法であり、また第1の開口部115、およびチャネルもしくはトンネルは、突出部108が、それぞれ、そこを通って中に入って嵌合するような寸法であり、突出部108のつけ根は、第1の開口部115に隣接して配置される。より具体的には、第1および第2の部分106、110を共に結合するために、第1の部分106のリングは、アンカー部分111の溝112の周囲に弾性的に嵌合することができ、したがって、リングの中空部分107は、アンカー部分111の本体により占められる。フランジ113が実施される場合には、リング部分106の面は、フランジ113上に配置されうる。
【００３９】
突出部108の最先端部は、図1〜5で示すように丸めることができるか、あるいは比較的鋭利な先端を形成することもできる。突出部は、第1の開口部もしくは窓孔115を介してトンネルもしくはチャネルの内側に嵌合することができる。第2の開口部もしくは窓孔105を有しない実施形態では、突出部108は、完全に隠すことができる。任意選択の開口部または窓孔105を有する実施形態の場合、突出部108は、第2の開口部105を通して視認することができる。任意選択で、突出部108は、突出部108が、完全に、かつ適切にトンネルもしくはチャネル内に配置されたとき、第2の窓孔を画定する平面から突き出すことはない。実施形態では、突出部108を適正に配置することは、突出部108のつけ根が、第1の開口部115に隣接した場合を意味することができる。代替的に、突出部は、突出部108が、トンネルもしくはチャネル内で完全に、適正に配置されたとき、第2の窓孔を画定する平面から突き出すこともできる。
【００４０】
実施形態では、アンカー部分111は、その上面に、第1および第2の部分106、110が共に結合されたとき視認でき、隠されることのない、取外し可能で交換可能な部分(明示的に示していない)を有することができる。取外し可能で交換可能な部分は、器具の色構成を変更する、かつ/または突起部の上面のロゴまたは他の表示を変更するように取外し可能であり、かつ交換可能にすることができる。
【００４１】
図15Aは、履物200に配置された複数の締結器具100の正面斜視図である。複数の器具100は、キットの一部、または器具100のパッケージとすることができる。任意選択で、キットは、図示されたものよりも多くの器具100を含むことができる。図15Bは、1点の衣類250に配置された複数の締結器具100の正面斜視図である。複数の器具100は、キットの一部、または器具100のパッケージとすることができる。任意選択で、キットは、図示されたものよりも多くの器具100を含むことができる。本明細書で示されるように、本考案の実施形態による器具は、図15Aおよび15Bで示す履物および半ズボンで使用されることに限定されない。
【００４２】
図16A〜16Cは、本考案の他の実施形態による締結器具300を示す。図16Dは、1点の履物350に配置された図16Aから16Cによる複数の締結器具300を示している。
【００４３】
器具300は、第1の端部306と、第2の端部310と、第1および第2の端部306、310の間に本体部分301とを有する。本体部分301は、例えば、図16Cおよび16Dで示すように、可撓性を有しており、したがって、第1の端部306を第2の端部310に対して配置できるように曲げることができ、本体部分301の一部は、第2の端部310の内部もしくは内側部分の中に存在する。本体部分301は、その自然な形態において非弓形のものとすることができる。代替的に、その自然の形態において、本体部分301を湾曲させる、または弓形にすることができる。本体部分301の弓形の方向付けは、図16Dで示すものなど、端部を共に適正に結合するために、第2の端部310に対して第1の端部306を操作する方向を示唆するようにすることができる。
【００４４】
さらに、第2の端部310は、第1の端部306を、全く動かなくする、または任意選択で、第1の端部306および第2の端部310が、もはや共に結合できなくなる程度まで動かなくする、いわゆるアンカー部分として構成され、かつ動作可能にすることができる。したがって、実施形態では、第2の端部310は、端部の結合を解除することなく、本体部分301および第1の端部306をそれに対して移動させることができ、逆も同様に行うことができる。
【００４５】
第2の端部310は、開放端部分311と、湾曲した側壁により形成された内側部分へのアクセス314を画定する対向する端部312、313を有する湾曲した側壁とを備えるように構成することができる。アクセス314は、その1端または両端でテーパが付けられている、または拡大している最も狭い部分を有することができる。例えば、図16A〜16Dは、両端にテーパが付けられたアクセス314を示している。アクセス314は、第1の端部306を第2の端部310に結合する(かつ結合を解除する)手段を提供する。より具体的には、図16Cで示されるように、第1の端部306は、本体部分301がアクセス314に隣接するように、かつ実施形態では球形の部分であるが、第1の端部306が、アクセス314を通って延びるように、第2の端部310に対して重なるように配置することができる。アクセス314よりもわずかに大きくすることのできる本体部分301を、図16Cで示すように、アクセス314による湾曲した側壁により形成された内側部分内に配置することができる。両端312、313は、本体部分301が内側部分内に配置されると、わずかに変形を生ずる可能性がある。実施形態では、アクセス314は、第1の端部306による、内側部分との半径方向内側または外側のアクセスを許容しない。
【００４６】
第1の端部306が、本体部分301に取り付けられた、または一体に形成された、球もしくは何らかの他の球状の構造、または本体部分301に対して拡大させた構造として構成することができる。第1の端部306は、第2の端部310の内側部分の中に嵌合するような寸法とすることができる。実施形態では、第1の端部306を、内側部分付近の場所で一定の位置に保持することができる。任意選択で、第2の端部310は、端部の結合を解除することなく、本体部分301および第1の端部306をそれに対して移動させることができ、その逆も同様である。
【００４７】
図17Aは、本考案のさらに他の実施形態による締結器具400の上面図を示している。図17Bは、図17Aで示された締結器具400の一部を示す。
【００４８】
器具400は、第1の部分406および第2の部分410からなる一体型の、または単一の本体を有することができる。任意選択で、器具400は、細長い本体部分401を含むことができる。一般的に言って、本体部分401は、第1の端部406を第2の端部410に結合できるように曲げるために、可撓性を有することができる。
【００４９】
任意選択で、細長い本体401は、例えば、長手方向に、その上に配置された1つまたは複数の溝もしくは窪み(図示せず)を有することができる。このような1つまたは複数の溝は、例えば、器具をアイレットを通して中に挿入するために、本体401をより可撓性を有するようにすることができる。さらに、このような1つまたは複数の溝は、つぶれないようにするために、かつフレームをアイレットの中に通すのを容易にするために圧縮および弾性的な拡大を支援することができる。
【００５０】
一体型の本体は、エラストマー(例えば、合成ゴム)または同様のものなど、任意の適切な材料から作られた、可撓性があり、かつ弾性的なものとすることができる。すなわち、本体は、例えば、器具を、本考案で述べる製品もしくは商品に位置決めする、挿入する、またはその他の形で取り付ける、もしくは配置するように、特定の形態もしくは形状をとるように曲げる、またはその他の形で操作することができる。器具400を製品もしくは商品上に、またはそれに対して配置する、位置決めする、構成する、かつ/または取り付ける間に、かつ/または製品もしくは商品を使用するもしくは装着する間に、本体の部分が伸びる、あるいは伸ばすことができる。したがって、本体は、様々な力を受けたとき、拡大させる、または収縮させることができる。器具400を、製品または商品から取り外すと、器具400は、その元の形態(例えば、伸ばされていない、圧縮されていない、また任意選択で曲げられていない形態)に、または実質的に元の形態に戻ることができる。
【００５１】
実施形態では、端部406、410の一方または両方は、本体部分401にしっかりと結合される、別に製作された部品とすることができる。例えば、第2の端部410は、本体部分401に結合される別部品とすることができる。実施形態では、第2の端部410は、本体部分401および/または第1の端部406が製作された材料(例えば、上記で述べた可撓性があり、弾性的な材料)とは異なる材料、例えば、プラスチックから作ることができる。
【００５２】
第1の部分406は、中空部分407を有するリングもしくは環状部分を形成もしくは画定することができる。リングの内側は平面図で、円形、楕円形、長方形、または正方形のうちの1つとすることができる。さらに、実施形態では、リングは、例えば、その厚さ、その構成、またはプラスチックもしくは金属製のリングまたは半分のリングなど、中に埋め込まれた硬化させた材料に基づいて、本体の他の部分に対して強化することができる。リングのこのような強化またはその他の形の構成は、例えば、裂けることに対する耐性を増加することができる。
【００５３】
第2の部分410は、アンカー部分411を含むことできる。前の実施形態と同様に、用語「固定する」は、第1の部分406を第2の部分410に結合するために、部分411が使用できることを示すために用いられる。
【００５４】
アンカー部分411は、第2の部分410のつけ根から延びる突出部もしくは突起部として定義することができる。実施形態では、アンカー部分411は、例えば、その厚さ、その構成、プラスチックもしくは金属製プラグなど、中に埋め込まれ硬化させた材料、ならびに/またはその構造的構成に基づいて、本体の他の部分に対して強化することができる。このような強化は、アンカー部分411の周囲に第1の部分406のリングを保持することを助けることができる。代替的には、アンカー部分411は、周囲の部分とは異なる材料、例えば、より硬い、またはより剛性のある材料から作ることもできる。例えば、アンカー部分411は、プラスチックから作ることができるが、器具400の他の部分は、より可撓性のあるエラストマーから作ることができる。強化したアンカー部分411の場合と同様に、より硬く、より剛性のあるアンカー部分411は、第1の部分406のリングをアンカー部分411の周囲に保持するのを助けることができる。すなわち、より安定性があり、信頼性の高い固定構造を、それに結合される第1の部分406に提供することができる。
【００５５】
アンカー部分411は、概して円筒形など、任意の適切な形状を有することができる。アンカー部分411は平面図で、楕円形、円形、長方形、または正方形のうちの1つとすることができる。任意選択で、アンカー部分411の平面図形状は、リングの内側の平面図形状と同一のものとすることができる。代替的に、アンカー部分411の平面図形状は、リングの内側の平面図形状と同一ではないこともありうる。
【００５６】
任意選択で、アンカー部分411は、例えば、連続的な溝412を備えた側壁を有することができる。代替的に、溝412は、不連続でありうる。溝412は、第1の部分406をアンカー部分411に結合することができるように、第1の部分406のリングの寸法および形状に基づいた寸法および形状とすることができる。溝412は、リングの内側の対応する部分を受け入れるような寸法とすることができる。代替的には、アンカー部分411は、溝412に代えて凸部を有することができ、対応する溝が第1の部分406のリングの内壁に沿って形成され、したがって、アンカー部分411および第1の部分406のこれらの部分は、共に嵌合することができる。実施形態では、アンカー部分411は、その側壁の周囲に凸部と凹(すなわち、溝が付けられた)部の混合したものを有することができ、第1の部分406のリングの内側部分には、相補的な凸部および凹部を有することができる。したがって、本考案の実施形態は、アンカー部分411および第1の部分406のリングに対するいくつかの相補的な係合機構が企図されることは明らかである。したがって、上記で示した構成は、非限定的な例を意味する。
【００５７】
アンカー部分411は、平坦な、ドーム型の、凹形の、または開口部を画定するその上部413を有することができる。実施形態では、アンカー部分411は、その上面に、取外し可能で交換可能な部分を含むことができる。例えば、上部413は、器具の色構成を変更するために、かつ/または突起部の上面のロゴまたは他の表示を変更するために取外し可能で交換可能にすることができる。任意選択で、上部413は、例えば、飾り物または同様のものなどを取り付けるためのベースとして使用することもできる。
【００５８】
第2の端部410への第1の端部406の結合に関して、第1の部分406のリングの内側407は、アンカー部分411の周囲に嵌合するような寸法である。より具体的には、第1および第2の部分406、410を共に結合するために、第1の部分406のリングは、リングの中空部分407が、アンカー部分411の本体により占められるように、アンカー部分411の溝412の周囲に弾性的に嵌合することができる。
【００５９】
図18〜20は、本考案のさらなる実施形態による締結器具500、600、700の上面図を示している。
【００６０】
器具500、600、700は、各第1の部分506、606、706、および第2の部分510、610、710からなる一体型の、または単一の本体を有することができる。任意選択で、器具は、細長い本体部分501、601、701を含むことができる。一般に、本体部分501、601、701は可撓性を有しており、したがって、各第1の端部506、606、706を、対応する第2の端部510、610、710に結合できるように曲げることができる。任意選択で、図18の器具500、および図19の器具600などの実施形態では、本体部分は、2つの小部分の間で、中空部もしくは空所502、602で分岐することができる。
【００６１】
任意選択で、細長い本体501、601、701は、例えば、長手方向に、その上に配置された1つまたは複数の溝もしくは窪み(図示せず)を有することもできる。このような1つまたは複数の溝は、例えば、本体をより可撓性を有するようにすることができる。さらに、このような1つまたは複数の溝は、つぶれないようにするために、かつ中を通すのを容易にするために圧縮し、弾性的に拡大させるのを助けることができる。
【００６２】
一体型の本体は、エラストマー(例えば、合成ゴム)または同様のものなど、任意の適切な材料から作られた、可撓性があり、かつ弾性的なものとすることができる。すなわち、本体は、例えば、器具を、本明細書で述べる製品もしくは商品に位置決めする、挿入する、またはその他の形で取り付ける、もしくは配置するように、特定の形態もしくは形状をとるように曲げる、またはその他の形で操作することができる。器具500、600、700を、製品もしくは商品上に、またはそれに対して配置する、位置決めする、構成する、かつ/または取り付ける間、かつ/または製品もしくは商品の使用中もしくは装着中に、本体の部分が伸びる、あるいは伸ばすことができる。したがって、本体は、様々な力を受けたとき、拡大させる、または収縮させることができる。製品もしくは商品から器具500/600/700を取り外すと、器具500/600/700は、その元の形態(例えば、伸ばされていない、圧縮されていない、また任意選択で曲げられていない形態)に、または実質的に元の形態に戻ることができる。
【００６３】
実施形態では、端部506/606/706、および510/610/710の一方または両方は、対応する本体部分501/601/701にしっかりと結合された、別に製作された部品とすることができる。例えば、第2の端部510、610、710は、本体部分501、601、701に結合される別部品とすることができる。実施形態では、第2の端部は、本体部分および/または第1の端部が製作された材料(例えば、上記で述べた可撓性があり、弾性的な材料)とは異なる材料、例えば、プラスチックから作ることができる。
【００６４】
図18および19では、器具500、600のそれぞれは、その先端507、607を備えた第1の端部506、606を有しており、先端507、607は、例えば、アイレットを通して器具を挿入することを支援するために、かつ装着者が把持して第1の端部を第2の端部に結合するのを支援するために使用することができる。器具500、600では、第2の端部510、610は、フォーク部で、またはチャネルが2つの経路へと分岐する部分で、突出部分511、611により部分的に形成されたY字形のチャネル512、612を有する。チャネル512、612および突出部511、611の形状および構成は、第1の端部506、606が本体部分501、601と交わる接合部508、608の構成、ならびに第1の端部506、606の寸法および形状と相補的なものである。さらに、第1の端部506、606の先端507、607は、Y字形のチャネルのベース部分内に、しっかりと、かつ摩擦で嵌合するような寸法および形状をしている。したがって、第1の端部506、606および第2の端部510、610が、適正に共に結合されたとき、第1の端部506、606は、窪み512、612の内側に配置され、したがって、接合部508、608は、フォーク部、またはチャネル512、612が2つの経路へと分岐する部分にあり、先端507、607が本体部分501、601の方向に内側を向いている。任意選択で、先端507、607は、第1および第2の端部が、共に適正に結合されたとき、平面図で中空部もしくは空所502、602と重なることができる。言い換えれば、先端507、607は、第1および第2の端部が、共に適正に結合されたとき、中空部もしくは空所502、602の中に突き出すことができる。
【００６５】
図20で示す器具700は、器具500および600に関してそれぞれ図18および19で示され、述べられた結合概念の変形形態を示している。
【００６６】
器具700の第1の端部706は、(例えば、前に論じた実施形態のリングと同様に)中空部もしくは空所部707を含む。第2の端部710は、突出部712を有するアンカー部分711を含む。突出部および中空部分707は、共に結合される寸法であり、かつ形状のものとすることができる。例えば、中空部分707は、2つの端部706、710が共に適正に結合されたとき、突出部712の周囲に嵌合することができる。
【００６７】
図21A〜Cは、本考案の実施形態による調整可能な締結器具800の部分の図を示している。
【００６８】
一般的に言って、締結器具800は、よりきつい(またはゆるい)装着を提供するように、かつ/またはそれが取り付けられる商品もしくは製品の寸法または距離に基づいて調整可能にすることができる。例えば、器具800は、子供もしくは10代の若者の履物の2つのアイレット構成に対するその長さと比較して、成人の履物の2つのアイレット構成に対するその長さを長くするように調整可能にすることができる。他の例では、器具800を、1つのアイレットレベルで、1つのアイレットから他のアイレットへと水平に方向付けるか、それとも1つのアイレットの下もしくは上に1つのアイレットから他のアイレットへと非水平に、すなわち、斜めもしくは垂直に、アイレットのその同じ列であるかそれとも対向する列かに基づいて調整することができる。
【００６９】
締結器具800は、本体部分801および端部810を有することができる。本体部分801の軸に沿って移動可能な可動ブラケット820は、端部810に移動可能に結合することができる。ブラケット820は、ブラケット820を所望の位置で一定に保持するために、窪み826の中に位置決めできる下方向を向いた刻み目を備える調整器825を有することができる。ブラケット820はまた、アンカー部分811をその底面側に結合させることができる。アンカー部分811は、締結器具の反対側の端部(図示せず)への結合手段として使用することもできる。例えば、締結器具800の反対側の端部は、図1、17A、および20の実施形態などのリングもしくは空所と同様に構成することができる、アンカー部分811の端部は、器具800の反対側端部と共に結合するためのリングもしくは空所を通って中に配置することができる。代替的には、器具800は、図21A〜21Cで示す端部810と同一である端部を有することができる。これらの場合、端部のそれぞれは、その各アンカー部分811を有することができ、その端部は、製品もしくは商品の、例えば、対応するアイレットを通して中に挿入され、それにより、器具800を用いて1つのアイレットを他のアイレットに締結することができる。
【００７０】
図22A〜22Eは、本考案のさらなる実施形態による締結器具900、1000、1100、1200、および1300の部分の図を示している。
【００７１】
上記で示した器具800と同様に、図22A〜22Eで示す器具は、対応する本体部分901、1001、1111、1201、および1301に結合された各端部910、1010、1110、1210、1310を有する。ところで、図22Eの本体部分1301は、分岐した本体部分であるが、他の本体部分は分岐されていない。端部のそれぞれは、アンカー部分911、1011、1111、1211、1311をそれに取り付けることができる。任意選択で、図22B〜22Eで示すように、アンカー部分と端部1010、1110、1210、1310の間にスペーサ1012、1112、1312を設けることができる。図22Aには示していないが、スペーサを実施することもできる。
【００７２】
アンカー部分911、1011、1111、1211、1311は、締結器具の反対側の端部(図示せず)への結合手段として使用することができる。例えば、締結器具の反対側の端部は、図1、17A、および20の実施形態などのリングもしくは空所と同様に構成することができる。アンカー部分911、1011、1111、1211、1311の端部は、対応する器具の反対側の端部を共に結合するために、リングもしくは空所を通して中に配置することができる。図22Bは、本体部分1001上に配置された任意選択のカラー1020を有する実施形態を示している。カラー1020(1)または1020(2)の2つの実施形態のいずれかを使用することができる。さらに、カラー1020は、本明細書で述べる他の実施形態の任意のものと共に使用することができるが、その構成は、それらが配置された、または配置される付近の個々の本体部分に基づいて変更することもできる。
【００７３】
代替的に、図22A〜22Eの器具のいずれも、図22A〜22Eで示す端部910、1010、1110、1210、1310と同一である端部を有することができる。この場合、端部のそれぞれは、その端部を有するその各アンカー部分を、製品もしくは商品の、例えば、対応するアイレットを通して中に挿入して、それにより、器具を用いて1つのアイレットを他のアイレットに締結することができる。図23は、図22Eからの複数の器具1300の例を示しており、その端部1310が1点の履物のアイレットにアンカー部分1311によって固定されている。明示的に示されていないが、器具1300の他の端部は、そのアンカー部分を履物の他の側のアイレットに固定させることができる。
【００７４】
図24は、本考案の実施形態による代替の締結器具1400を示す。器具1400は、アンカー部分1410および可撓性のある本体部分1401を有することができる。アンカー部分1410は、例えば、ねじにより、または他の適切な結合機構により、可撓性のある本体部分1401に取外し可能に結合することができる。任意選択で、器具1400の他の端部は、図24で示す端部と同一のものとすることができる。使用する場合、可撓性のある本体部分1401は、任意の適切なパターンで、例えば、アイレットを通すことができ、したがって、可撓性のある本体部分1401の各端部が露出される。各アンカー部分1410は、次いで、可撓性のある本体部分1401に取外し可能に取り付けることができる。
【００７５】
図25Aおよび25Bは、本考案の実施形態によるさらに他の代替の締結器具1500を示す。図25Bは、図25Aに示された締結器具1500を実施する1つの履物の部分的な図である。器具1500は、アンカー部分1510および可撓性のある本体部分1501を有することができる。器具1500のアンカー部分1510は、スプール構成を有することができ、それにより、可撓性のある本体部分1501は、その端部間でアンカー部分の中心軸の周りに巻き付くことができる。図25Bから分かるように、器具1500は、端部の反対にその端部を有することができ、アンカー部分1510が履物におけるいくつかのアイレットに「通され」、アンカー部分1510のつけ根が、前記端部が通された第1のアイレットに隣接して配置され、かつ前記端部の自由部分が、アンカー部分の中心軸の周りに巻き付く。
【００７６】
図26は、本考案による締結器具1600のさらに他の実施形態である。締結器具1600は、折り畳むことのできる部分、または複数の糸(threads)を備える端部を有することができ、それにより、重なる部分1611は、その上面が下方向を向き、重なる部分1610の上面に接触するように折り重ねることができる。部分1610よび1611の上面は、面ファスナーシステムなど、互いに結合できる手段を有することができる。締結器具1600は、1つまたは複数のアイレットを通して「ひもで結ぶ」ことができ、次いで、重なる部分1611を折り重ねて、締結器具1600を定位置に保持する。
【００７７】
図27は、本考案の実施形態による、1つの履物に配置された締結器具100および装飾部品1700からなるシステムを示している。装飾部品1700は、花、球の形態、またはユーザが自分の履物をカスタマイズし、装飾するために選ぶことのできる任意の種類の形態とすることができる。部品1700は、単に装飾目的ではなく、異物による締結器具100への望ましくない接触を防ぐことができるように、締結器具100の上に高さを有するいわゆる緩衝具を提供することができる(例えば、ジョギングする人が、自分の履物に器具100および部品1700を備えて走るとき、灌木の枝が器具100にではなく部品1700にぶつかるようになる)。さらに、明示的に示されていないが、本体部分は、一方の部品1700から他方の部品1700へと延びることができる。この本体部分は、部品1700と一体に形成することができるか、あるいは部品のそれぞれに結合して、(例えば、図24に示された、またはそれと同様の)統合されたユニットを形成することができる。
【００７８】
いくつかの締結器具および締結システムが、上記で、かつ本明細書で述べられてきた。いずれの諸実施形態も、1つまたは複数のリン光性の部分、および/またはフラッシュする部分を含むことができる。
【００７９】
図28は、本考案の実施形態による方法2800の流れ図である。方法2800は、締結し、閉鎖し、または固定する器具を形成するための方法、および/または締結し、閉鎖し、または固定するための方法とすることができる。
【００８０】
方法2800は、本明細書で示され、述べられた1つまたは複数の器具を提供するステップを含むことができる(S2802)。例えば、器具(複数可)は、締結するための弾性的な器具とすることができ、弾性的な器具は、リングを画定し、かつ器具の先端として可撓性のある細長い突出部を有する第1の部分と、第1の部分に結合される第2の部分であり、そこから延びる突起部を備え、かつ第2の部分により形成されたトンネルもしくはチャネルへのアクセスを提供する第1の開口部を画定する壁を有する第2の部分とを含むことができる。
【００８１】
ステップS2802は、締結器具を形成するステップを最初に含むことができる。例えば、締結器具は、単一の射出成形ステップで、または複数の射出成形ステップで、射出成形により形成することができる。反応射出成形(RIM)、圧縮成型、熱成形、または同様のものなど、他の形成方法も使用することができる。
【００８２】
方法2800はまた、衣類、履物、カバン、バックパック、バッグ、財布、ボクシンググラブ、サンドバッグ、およびフットボールもしくはラクロスの肩パッドなど、商品もしくは製品に関して本明細書で示され、かつ述べられた器具(複数可)の位置決めもしくは挿入するステップを含むことができる。(S2804)。
【００８３】
一般的に言って、各器具は、製品もしくは商品の1つまたは複数の穴、アイレット、輪、フック、穴、開口部または同様のものなどに対して位置決めする、または挿入することができる。例えば、実施形態では、器具の1つの端部は、履物の一方のアイレットを通し、舌革の上もしくは下を通り、他方のアイレットを通して挿入することができる。アイレットを通される端部は、アイレットを通すように適合させるために、例えば、装着者の指の間で、一時的に変形させることができる。さらに、器具の端部間の長手方向の本体部分はまた、各アイレットを通過するとき一時的に変形する可能性がある。その長手方向の本体部分に長手方向の溝(図3の項目102)を有する器具(複数可)の実施形態では、溝は、アイレットもしくは同様のものを通して本体部分を挿入し、通過させるために、長手方向の本体部分を柔軟に、かつより可撓性のあるものにすることができる。
【００８４】
器具が、1つまたは複数のアイレット、輪、フック、穴、開口部、または同様のものを通って位置決めされる、または挿入された後、例えば、図8、15A、および15Bで示すように、器具を、その端部が共に結合されるように配置することができる(S2806)。当然であるが、他の開示されかつ示された実施形態を、それ自体の特有な結合機構に従って、その端部を共に結合させることもできる。さらに、実施形態では、複数の器具を端と端を接続して共に結合することができ、それにより、比較的長い締結器具を形成することができる。
【００８５】
代替的に、図21A〜21Cおよび22A〜22Eで示されたものなどの実施形態では、器具の端部が、アイレット、輪、フック、穴、開口部、または同様のものを上記で示したように通されるのではなく、対応するアイレット、輪、フック、開口部、または同様のものを通して、各端部を挿入することができる。例えば、図23を参照すると、それは、端部1311が、履物の一方の側にある各履物のアイレット中に挿入された、図22Eの複数の器具1300を示している。図示されていないが、各器具1300に対する端部1311の反対側の端部は、図示されたものと同一であり、履物の他方の側の各履物のアイレット中に嵌合することができる。
【００８６】
図では明示的に示されていないが、米国特許第7,506,420号の図7の項目19、または個々の締結器具(複数可)の構成に基づくその変形形態に従って示された締結手段はまた、本考案の実施形態で使用することもできる。米国特許第7,506,420号の内容全体が、参照により本出願にその全体が組み込まれる。
【００８７】
本考案が、いくつかの実施形態と共に述べられてきたが、多くの代替形態、変更形態、および変形形態が当業者には明らかなはずであり、または明らかであることが分かる。したがって、出願人は、本考案の趣旨および範囲に含まれるすべてのこのような代替形態、変更形態、均等な形態、および変形形態が包含されるように意図している。
【符号の説明】
【００８８】
100    締結または閉鎖器具
101    細長い本体部分
102    溝もしくは窪み
103    端部、部分
104    端部、部分
105    第2の開口部
106    第1の部分
107    中空部分
108    細長い指部もしくは突起部
110    第2の部分
111    アンカー部分
112    溝
113    フランジ
114    立上り部分、壁部分
115    第1の開口部
200    履物
250    衣類
300    締結器具
301    本体部分
306    第1の端部
310    第2の端部
311    開放端部分
312    端部
313    端部
314    アクセス
350    履物
400    締結器具
401    細長い本体部分
406    第1の部分、第1の端部
407    中空部分
410    第2の部分、第2の端部
411    アンカー部分
412    溝
413    上部
500    締結器具
501    細長い本体部分
502    中空部もしくは空所
506    第1の部分、第1の端部
507    先端
510    第2の部分、第2の端部
511    突出部
512    Y字形のチャネル、窪み
600    締結器具
601    細長い本体部分
602    中空部もしくは空所
606    第1の部分、第1の端部
607    先端
610    第2の部分、第2の端部
611    突出部
612    Y字形のチャネル、窪み
700    締結器具
701    細長い本体部分
706    第1の部分、第1の端部
707    中空部分もしくは空所部、
710    第2の部分、第2の端部
711    アンカー部分
712    突出部
800    締結器具
801    本体部分
810    端部
811    ブラケット、アンカー部分
820    ブラケット
825    調整器
826    窪み
900    締結器具
901    本体部分
910    端部
911    アンカー部分
1000    締結器具
1001    本体部分
1010    端部
1011    アンカー部分
1012    スペーサ
1020    カラー
1020(1)    カラー
1020(2)    カラー
1100    締結器具
1110    端部
1111    本体部分、アンカー部分
1112    スペーサ
1200    締結器具
1201    本体部分
1210    端部
1211    アンカー部分
1300    締結器具
1301    本体部分
1310    端部
1311    アンカー部分
1312    スペーサ
1400    締結器具
1401    本体部分
1410    アンカー部分
1500    締結器具
1501    本体部分
1510    アンカー部分
1600    締結器具
1610    重なる部分
1611    重なる部分
1700    装飾部品
【図１】
0003197186.tif 000003
【図２】
0003197186.tif 000004
【図３】
0003197186.tif 000005
【図４】
0003197186.tif 000006
【図５】
0003197186.tif 000007
【図６】
0003197186.tif 000008
【図７】
0003197186.tif 000009
【図８】
0003197186.tif 000010
【図９】
0003197186.tif 000011
【図１０】
0003197186.tif 000012
【図１１】
0003197186.tif 000013
【図１２】
0003197186.tif 000014
【図１３】
0003197186.tif 000015
【図１４】
0003197186.tif 000016
【図１５Ａ】
0003197186.tif 000017
【図１５Ｂ】
0003197186.tif 000018
【図１６Ａ】
0003197186.tif 000019
【図１６Ｂ】
0003197186.tif 000020
【図１６Ｃ】
0003197186.tif 000021
【図１６Ｄ】
0003197186.tif 000022
【図１７Ａ】
0003197186.tif 000023
【図１７Ｂ】
0003197186.tif 000024
【図１８】
0003197186.tif 000025
【図１９】
0003197186.tif 000026
【図２０】
0003197186.tif 000027
【図２１Ａ】
0003197186.tif 000028
【図２１Ｂ】
0003197186.tif 000029
【図２１Ｃ】
0003197186.tif 000030
【図２２Ａ】
0003197186.tif 000031
【図２２Ｂ】
0003197186.tif 000032
【図２２Ｃ】
0003197186.tif 000033
【図２２Ｄ】
0003197186.tif 000034
【図２２Ｅ】
0003197186.tif 000035
【図２３】
0003197186.tif 000036
【図２４Ａ】
0003197186.tif 000037
【図２４Ｂ】
0003197186.tif 000038
【図２４Ｃ】
0003197186.tif 000039
【図２５】
0003197186.tif 000040
【図２６】
0003197186.tif 000041
【図２７】
0003197186.tif 000042
【手続補正書】
【提出日】平成25年10月9日(2013.10.9)
【手続補正１】
【補正対象書類名】実用新案登録請求の範囲
【補正対象項目名】全文
【補正方法】変更
【補正の内容】
【実用新案登録請求の範囲】
【請求項１】
履物や衣類の中の一物品の第1の穴、アイレット、輪、またはフックと、前記履物や衣類の中の一物品の第2の穴、アイレット、輪、またはフックとを締結するための可撓性のある締結器具であって、
第1の端部を含む第1の結合手段と、
第2の端部を含む第2の結合手段と、
前記第1の結合手段と前記第2の結合手段とを接合するための接合手段であり、前記第1の端部と前記第2の端部の間に本体部分を含む、接合手段と
を備える本体を有し、
前記本体部分が、可撓性を有しており、かつ、前記第1の端部と前記第2の端部とが互いに取外し可能に結合されるように、または、前記第1の端部が履物や衣類の中の一物品の前記第1の穴、アイレット、輪、またはフックに取外し可能に結合されると共に前記第2の端部が前記履物や衣類の中の一物品の前記第2の穴、アイレット、輪、またはフックに取外し可能に結合されるように、撓むように構成されかつ動作可能であり、
前記第1の端部が、リングを形成し、かつ前記器具の先端として可撓性のある単一の細長い指部を有し、
前記第2の端部が、前記本体部分を介して前記第1の端部に結合され、かつ、そこから延びる突出部を有する壁であって、前記第2の端部により囲まれたチャネルへのアクセスを可能にする第1の開口部を画定する壁を有し、
前記第1の端部の前記リングの内側が、前記突出部の周囲に嵌合する寸法であり、また、前記第1の開口部および前記チャネルがそれぞれ、前記指部のつけ根が前記第1の開口部に隣接して配置された状態で、前記指部が前記第1の開口部および前記チャネルを通って前記第1の開口部および前記チャネルの中に嵌合するような寸法であり、
前記第2の端部が、前記壁および前記突出部に関連する前記器具の側面の反対側の前記器具の側面に第2の開口部をさらに含み、前記第2の開口部が、前記チャネルへのアクセスを可能にする、締結器具。
【請求項２】
前記チャネルが、前記第2の端部により形成された終端を有する行き止まりのチャネルである、請求項1に記載の締結器具。
【請求項３】
前記指部の本体が、前記チャネルの内側にあり、かつ前記指部の前記つけ根が、前記第1の開口部に隣接して配置されたとき、前記指部が、前記第2の開口部を画定する平面から突出しない、請求項1に記載の締結器具。
【請求項４】
前記壁の一部が、平面視における前記突出部の周りの一部もしくは全部にフランジを形成し、前記突出部が、その周りの一部分または全体に亘って延びる溝を有する側壁を含み、前記溝が、前記リングの前記内側の対応部分を受け入れる寸法である、請求項1に記載の締結器具。
【請求項５】
前記突出部が平面視において、楕円形、円形、長方形、または正方形のうちの1つであり、
前記リングの前記内側が平面視において、円形、楕円形、長方形、または正方形のうちの1つである、請求項1に記載の締結器具。
【請求項６】
前記突出部の平面視形状が、前記リングの前記内側の平面視形状と一致しない、請求項5に記載の締結器具。
【請求項７】
前記器具が、前記第1の端部と前記第2の端部とが互いに結合されたとき、履物もしくは衣類のための締結具として使用されるものであり、あるいは前記第1の端部と前記第2の端部とが互いに結合されたとき、または前記器具の前記第1の端部もしくは前記第2の端部の一方が、前記器具の他のものの第2の端部もしくは第1の端部の他方に結合されたとき、1つの宝飾品として使用するためのものである、請求項1に記載の締結器具。
【請求項８】
前記締結器具の単一部品の前記本体が単一部品の弾性本体であり、
前記第2の端部が、第1の面および前記第1の面の反対側の第2の面を有するアンカー部分を含み、前記第1の面が、トンネルへのアクセスを可能にする第1の窓孔がある立上り壁と、前記第1の面から上方に突出している略円筒形状のアンカーと、前記アンカーのつけ根の周囲のフランジとを有し、前記アンカーが、その側壁の周りの連続した溝とドーム型の上部とを有し、前記第2の面が、実質的に滑らかであり、
前記第1の端部が、第1の面および前記第1の面の反対側の第2の面を有するリング部分を含み、前記リング部分は、中空部分の中心を通る軸が前記単一部品の弾性本体の長手方向軸と直角をなすように方向付けられたその中空部分でリングを形成し、前記リング部分が、前記リング部分の側部から前記長手方向軸の方向に突出した細長い突出部を有し、前記細長い突出部が丸い先端を有しており、
前記本体部分が、側面視及び上面視の両方においてテーパが付けられた端部を有し、かつ、前記本体部分の長さの一部に沿って延びる長手方向溝と、前記トンネルへのアクセスを可能にする第2の窓孔と、を有しており、
前記リング部分の前記第1の面、および前記アンカー部分の前記第1の面が、前記単一部品の弾性本体の第1の側面上にあり、また前記リング部分の前記第2の面、および前記アンカー部分の前記第2の面が、前記単一部品の弾性本体の第2の側面上にあり、
前記細長い突出部が延びている前記リング部分の側部が、前記リング部分と前記細長い本体とが交わる接合箇所から180度オフセットされており、
前記リング部分と前記アンカー部分とが適正に結合されたとき、前記リング部分および前記アンカー部分が、
前記リング部分の前記リングが前記アンカーの前記溝の周囲に弾性的に嵌合して、前記中空部分が前記アンカーにより占められ、かつ前記リング部分の前記第2の面の側で、前記リングが前記フランジ上に配置されるように、かつ
丸い先端を有する前記細長い突出部が、前記窓孔を通って延びて前記トンネルの内側にあり、そのときに、前記単一部品の弾性本体の底面視において前記第2の窓孔から視認することができるが、前記第2の窓孔を画定する平面から突出しないように、
構成される寸法である、請求項1に記載の締結器具。
【請求項９】
前記締結器具が、複数の前記締結器具のセットの中の1つの器具であり、前記セットが、少なくとも2つの前記締結器具を含む、請求項8に記載の締結器具。
【請求項１０】
複数の前記締結器具の前記セットが、それぞれが異なる全体長さを有する少なくとも2つの締結器具を含む、請求項9に記載の締結器具。
【請求項１１】
複数の前記締結器具の前記セットが、それぞれが同じ全体長さを有する少なくとも2つの締結器具を含む、請求項9に記載の締結器具。
【請求項１２】
前記フランジが前記アンカー部分の前記つけ根を取り囲む、請求項8に記載の締結器具。
【請求項１３】
前記器具の前記本体部分が可撓性を有しており、
前記第2の端部が、前記本体部分を介して前記第1の端部に結合され、かつ前記第2の端部から延びる突出部を有する壁を有し、前記突出部が、前記第1の端部の前記リングと結合するためのアンカー部分を形成しており、
前記第1の端部の前記リングの内側が、前記アンカー部分の周囲に嵌合する寸法である、請求項1に記載の締結器具。
【請求項１４】
前記アンカー部分が、その側壁の周りの全体に亘って延びる凹形部分を有し、前記凹形部分が、前記第1の端部の前記リングの前記内側の寸法および形状に基づいた寸法および形状をしている、請求項13に記載の締結器具。
【請求項１５】
前記第1および第2の端部が、前記本体部分とは異なる材料から形成される、請求項1に記載の締結器具。
【請求項１６】
前記第2の端部が、前記第2の端部に摺動可能に結合された調整可能な部分を有し、
前記第2の端部が、その表面に、前記調整可能な部分の対応する刻み目と協動する複数の窪みを有し、それにより、前記調整可能な部分が定位置に固定され、かつ
前記第2の端部の前記突出部が、前記調整可能な部分に結合される、請求項1に記載の締結器具。
【請求項１７】
前記突出部は、取外し可能な上面の部分を有しており、
前記突出部の取外し可能な前記部分は、前記第1の端部と前記第2の端部とが互いに適正に結合されたときに、視認可能であり、隠されない、請求項1に記載の締結器具。
【請求項１８】
前記第2の端部から一部分が取外し可能であり、
取外し可能な前記一部分がアンカー部分である、請求項1に記載の締結器具。